(57)【特許請求の範囲】
【請求項１】
給湯器の給排気トップを壁開口に貫通させて給湯器を屋内設置するもので、前記壁開口の屋外側を閉塞しうる防雨板と、前記壁開口の屋内側周面に固定され上下に給排気トップを有する給湯器を取付けるボルトを備える金枠に固定される前記給排気トップを挿通する給湯器取付板と、前記防雨板に取り付けられ、スプリングとチェーンとが接続された２つ以上の索状体とを備え、前記給湯器の前記給排気トップが給湯器の交換により大口径から小口径になった場合に、前記壁開口と前記金枠を利用し壁開口の屋外側の前記防雨板を前記索状体により屋内側から引き寄せて閉塞保持する給湯器設置用アダプターであって、
前記給湯器設置用アダプターは、前記金枠の前記上下に設けられた前記ボルトを挿通するための支持孔を有する上下の屋内側固定板を備え、少なくとも１つの前記索状体は、前記屋内側固定板に備えられたリングにより連結されており、前記屋内側固定板は、前記金枠と前記給湯器取付板との間に、前記支持孔が前記ボルトを挿通するように配置され固定されることにより位置決め固定され、前記防雨板は、前記屋内側固定板に備えられたリングにより連結された前記索状体により落下が防止されていることを特徴とする給湯器設置用アダプター。
【請求項２】
上記支持孔は、長孔となっている請求項１記載の給湯器設置用アダプター。
【請求項３】
前記屋内側固定板は、前記索状体を屋内側から前記スプリングに十分な付勢力を与えた状態にて、前記チェーンの一端部を引っかけるための引掛片を備えている請求項１または２記載の給湯器設置用アダプター。
【発明の詳細な説明】
【０００１】
【発明の属する技術分野】
この発明は給湯器設置用アダプターに関し、詳しくは、給湯器の買い替え交換などにより給湯器の給排気トップが、たとえば、バランス型湯沸器などのように大口径のものから強制給排気型給湯器などのように小口径のものになった場合に、既設の壁開口と金枠をそのまま利用して小口径の給排気トップをもつ強制給排気型給湯器の取付け設置が行いうる給湯器設置用アダプターに関する。
【０００２】
【従来の技術】
従来の技術としては、たとえば、実公平８−１０７４０号公報（以下従来例１という）又は図６及び図７（以下従来例２という）に例示されているように、屋内側よりすべての作業をするものであって、防雨シール１０を内周面に貼着した防雨板（化粧カバーを兼備している）６を備え、接着テープ２６をもって上下の屋内側固定板１４を金枠３に一時的に貼着固定して位置決めし、この位置決めされた上下の屋内側固定板１４に（従来例１には屋内側固定板の位置決め固定手段の記載はない）スプリングとチェーンとが接続された数条の索状体１２（従来例２はチェーンのみ）を屋内側から引張って屋内側固定板１４に引掛けることにより壁開口１の外壁面に上記防雨板６を密接保持する。このとき、従来例１は索状体１２のスプリング１２ａによる引張力で防雨板６を密接保持するが、従来例２は索状体１２であるチェーンのみにて保持するようになっている。
【０００３】
次いで、給湯器取付板５を既設の金枠３に備えられているボルトに挿通固定し（従来例２にはこのような構成はない）、給排気トップＢをスリーブ２７を介して給湯器取付板５の挿通孔８を経て防雨板６の挿通孔９にまで挿通して給湯器取付板５に固定し、その後、給湯器Ａを上記給排気トップＢと接続して給湯器取付板５に上下の取付用アングル２２をもって取付け固定する構造となっている。なお、上記説明中の符号は従来例２に付したものを用いている（従来例１については公報参照）。
【０００４】
【発明が解決しようとする課題】
しかしながら、上記従来の技術では、従来例１、２ともに取付け時における防雨板６の落下防止手段は採られておらず、取付け時には防雨板６を保持する索状体１２を引張ってその一端が屋内側固定板１４の係止部に引掛けられるにすぎないから、防雨板６を壁開口１の対角線上に斜めにして屋内側から屋外側へ出すとき又は防雨板６を数条の索状体１２で引張り上げて壁開口裏面の所定位置に当接させるときなどに誤って防雨板６を地上へ落下してしまうことがあり、特に、高層集合住宅などにあってはその危険度が極めて高いといった問題点があり、また、金枠３に対する屋内側固定板１４の位置決めは、従来例２に示されているように接着テープ２６を用いて行っているにすぎないので、その位置決めが正確に行えず仮固定とはいえ両面接着テープだけでは貼付強度が弱いこともあって金枠３に対する屋内側固定板１４の位置がその荷重に耐えられずずれ動いてしまい作業性が極めて悪くなるといった問題点があった。
【０００５】
この発明の給湯器設置用アダプターは上記課題を解決し、屋内側からの取付け作業に際し、防雨板の落下を確実に防止して安全性を高めるとともに、金枠に対する屋内側固定板と給湯器取付板の位置決め固定も安定的に行い得て作業性をも向上せしめた給湯器設置用アダプターの提供を目的としている。
【０００６】
【課題を解決するための手段】
上記課題を解決するこの発明の請求項１の給湯器設置用アダプターは、
給湯器の給排気トップを壁開口に貫通させて給湯器を屋内設置するもので、前記壁開口の屋外側を閉塞しうる防雨板と、前記壁開口の屋内側周面に固定され上下に給排気トップを有する給湯器を取付けるボルトを備える金枠に固定される前記給排気トップを挿通する給湯器取付板と、前記防雨板に取り付けられ、スプリングとチェーンとが接続された２つ以上の索状体とを備え、前記給湯器の前記給排気トップが給湯器の交換により大口径から小口径になった場合に、前記壁開口と前記金枠を利用し壁開口の屋外側の前記防雨板を前記索状体により屋内側から引き寄せて閉塞保持する給湯器設置用アダプターであって、
前記給湯器設置用アダプターは、前記金枠の前記上下に設けられた前記ボルトを挿通するための支持孔を有する上下の屋内側固定板を備え、少なくとも１つの前記索状体は、前記屋内側固定板に備えられたリングにより連結されており、前記屋内側固定板は、前記金枠と前記給湯器取付板との間に、前記支持孔が前記ボルトを挿通するように配置され固定されることにより位置決め固定され、前記防雨板は、前記屋内側固定板に備えられたリングにより連結された前記索状体により落下が防止されていることを要旨とする。
【０００７】
上記課題を解決するこの発明の請求項２の給湯器設置用アダプターは、上記請求項１記載の給湯器設置用アダプターにおいて、
上記支持孔は、長孔となっていることを要旨とする。
【０００８】
上記課題を解決するこの発明の請求項３の給湯器設置用アダプターは、上記請求項１または２記載の給湯器設置用アダプターにおいて、
前記屋内側固定板は、前記索状体を屋内側から前記スプリングに十分な付勢力を与えた状態にて、前記チェーンの一端部を引っかけるための引掛片を備えていることを要旨とする。
【０００９】
上記構成を有するこの発明の請求項１記載の給湯器設置用アダプターは、給湯器の買い替え交換などによって給湯器の給排気トップが、たとえば、バランス型湯沸器などのように大口径のものから強制給排気型給湯器などのように小口径のものになった場合に、既設の壁開口と金枠及びボルトをそのまま利用して小口径の給排気トップをもつ強制給排気型給湯器の取付け設置が行いうるようにしたものであって、前記給湯器設置用アダプターは、前記金枠の前記上下に設けられた前記ボルトを挿通するための支持孔を有する上下の屋内側固定板を備え、少なくとも１つの前記索状体は、前記屋内側固定板に備えられたリングにより連結されており、前記屋内側固定板は、前記金枠と前記給湯器取付板との間に、前記支持孔が前記ボルトを挿通するように配置され固定されることにより位置決め固定され、前記防雨板は、前記屋内側固定板に備えられたリングにより連結された前記索状体により落下が防止されているので、屋内側から壁開口を通して屋外側に出した防雨板を壁開口の外壁面の所定位置に取付ける際に誤って防雨板を落下させてしまうことがない。この結果、防雨板の落下による危険性は解消され、また、そのまま作業が継続できるので、作業能率も向上できる。
また、金枠に対する屋内側の固定板と給湯器取付板との位置決め固定が安定的に行いうる。この結果、作業性の向上と相まって設置施工が迅速、確実に行える。
【００１０】
そして、防雨板を屋内側固定板に上記数条の索状体のうちの１つ以上で繋いで連結したので、防雨板の屋内側からの取付時に万一防雨板を落下させてしまっても地上にまで落下することはない。この結果、安全性は高く、施工性もよい。
【００１１】
そして、金枠の既設ボルトに屋内側の固定板と給湯器取付板を嵌めつけ固定するようにしたので、屋内側の固定板と給湯器取付板との位置決め固定が常時一定位置に安定的に行いうる。この結果、作業性は著しく向上し、設置施工も迅速、確実に行える。
【００１２】
【発明の実施の形態】
以上説明したこの発明の構成、作用を一層明らかにするために、以下この発明の給湯器設置用アダプターの好適な実施の形態の一例について図面を参照して詳細に説明する。なお、図６及び図７に示した従来例２と同一部分には同一符号を付して説明する。
【００１３】
図１乃至図５において、１は壁開口で、この壁開口１は既設給湯器として、たとえば、バランス型湯沸器を壁２に取付ける際にバランス型湯沸器の大口径給排気トップ（図示せず）を貫通させるために形成された開口であり、また、３は上記壁開口１の屋内側周面に嵌着固定された金枠で、この金枠３の上下に４本のボルト４が内方へ向けて一体固定されている。このボルト４は大口径の給排気トップを有する上記バランス型湯沸器をその給排気トップとともに壁面に取付け設置するためのもので、その固定個所及び本数は撤去前のバランス型湯沸器の仕様に対応している。上記壁開口１と金枠３はバランス型湯沸器を撤去した後もそのまま残して後述する小口径の給排気トップをもつ強制給排気型給湯器の設置にそのまま利用するものである。
【００１４】
そこで、上記既設の壁開口１と金枠３及びボルト４をそのまま利用して新しい小口径の給排気トップＢを有する強制給排気型給湯器（以下単に給湯器という）Ａを設置する場合は、大口径の壁開口１を屋内側から閉塞する給湯器取付板５と屋外側から閉塞する防雨板６とが後述する手段をもって取付けられる。そして、上記給湯器取付板５には上記金枠３と一体のボルト４に対応する支持孔７と給湯器Ａの給排気トップＢが挿通できる挿通孔８とが形成され、また、上記防雨板６には上記給湯器Ａの給排気トップＢが挿通する挿通孔９が形成され、防雨板６の内周面と挿通孔９の囲りには防雨シール１０、１１が貼着固定されている。
【００１５】
上記防雨板６は、壁開口１をその外面側において十分に閉塞しうる大きさで、かつ、その短辺の長さが壁開口１の対角線寸法よりも小さい形状となっており、この防雨板６は板面を壁面に直交させた状態で、その短辺が壁開口１の対角線に沿うように傾斜させることで屋内側から壁開口１に挿入通過させて屋外側へ出すことができるようになっている。そして、上記防雨板６の内面上下４個所にスプリング１２ａとチェーン１２ｂとが接続された索状体１２のスプリング側を取付け支持するための断面アングル状の取付片１３が固定されており、この取付片１３に索状体１２のスプリング１２ａの端部が引掛け固定される。
【００１６】
上記索状体１２のチェーン側は、上記金枠３の上下に後述する手段をもって配設される屋内側固定板１４に一体形成された鉤状の引掛片１５にチェーン１２ｂの端部を引掛けて防雨板６を保持するもので、上記索状体１２のスプリング１２ａはそれを屋内側へ引張ると、防雨板６が壁面にしっかりと密接固定されるようにするための付勢力を与える部材で、その引張りバネ力で防雨板６は壁開口１の外壁面に密接保持される。そして、上記４つの索状体１２のうちの１つ、たとえば、上部索状体の一方をそのチェーン１２ｂの端部が上部の固定板１４の一側寄りにリング１６を介して連結され、防雨板６と固定板１４とを１つの索状体１２で繋いでいる。上記１つの索状体１２は防雨板６が落下してもその落下時に持ち堪えが十分できる強度を有しているが、必要に応じて２つ以上の索状体１２で防雨板６と固定板１４とを繋いでもよい。
【００１７】
上記屋内側の上下の固定板１４には、上記金枠３と一体のボルト４に対応して挿通できる支持孔１４ａが形成され、この支持孔１４ａは種々な金枠のボルト位置に対応するため長孔となっている。したがって、固定板１４は金枠３の上下にその支持孔１４ａをボルト４に嵌めつけ、必要に応じて上記長孔による横方向の位置決めをするだけで所定の位置にずれ動くことのないように位置決め保持される。そして、この固定板１４はその荷重に影響されず所定位置に位置決めされた状態のもとに上記防雨板６と索状体１２を介して協働し防雨板６とで壁２を挟み込む状態に配設される。すなわち、防雨板６を屋外側に出した後、索状体１２を屋内側から引張りスプリング１２ａに十分な付勢力を与えてチェーン１２ｂの一端部を固定板１４の引掛片１５にそれぞれ引掛けることで防雨板６はスプリング１２ａの付勢力で壁開口１の外壁面の所定位置に密接固定され、壁開口１の外側を閉塞する。
【００１８】
上記構成において、その取付け施工手順の一例を以下に概略説明すると、この取付け施工のすべては屋内側から行うもので、先ず、防雨板６を斜めにして壁開口１を通し屋内側から屋外側へ索状体１２を手前に位置させて出すと同時に上下の屋内側固定板１４を金枠３のボルト４にその支持孔１４ａを介して嵌めつけ支持する。以上の取付け施工作業において、防雨板６を誤って屋外側へ落下した場合、防雨板６の落下時の持ち堪えができる索状体１２の１つが屋内側固定板１４と繋がれているので（図３乃至図５参照）、防雨板６は地上にまで落下することはない。
その後、防雨板６にそのスプリング側が予め取付けられている４つの索状体１２を引張って防雨板６を壁開口１の外壁面の所定位置に内周面の防雨シール１０を介在して密接した後、索状体１２をさらに引張ってそのスプリング１２ａに十分な付勢力を与えてチェーン１２ｂの一端部を固定板１４の引掛片１５にそれぞれ引掛けて防雨板６をスプリング１２ａの付勢力で壁開口１の外壁面に密接固定する（図２参照）。
このとき、落下防止用の索状体１２は、図２に例示されているように、チェーン１２ｂの連結部を余してチェーン１２ｂの途中を引掛片１５に引掛けるものであり、他の索状体１２は若干長目としてチェーン１２ｂの最適部を引掛片１５に引掛けるものである。
【００１９】
上記防雨板６の取付け作業が終了した後、給湯器取付板５をボルト４にその支持孔７を嵌めつけて締付けナット１７により平座金１８ａとバネ座金１８ｂを介在して締付け固定することで屋内側の固定板１４は給湯器取付板５と金枠３との間に挟着固定される（図２参照）。２０は給湯器取付板５と上下の固定板１４及び金枠３との間に介在させた金枠パッキングである。
その後、給排気トップＢを給湯器取付板５の挿通孔８に挿通するとともに、防雨板６の挿通孔９には防雨シール１１を介在して気密状に挿通しその先端給排気口を防雨板６より露出させ、給排気トップＢの取付けフランジ１９を給湯器取付板５に締付けボルト２１で螺着固定せしめる。
最後に給湯器Ａを給湯器取付板５にその取付けアングル２２をボルト２３で締付けて取付け固定する。このとき、上記給排気トップＢの基端に給湯器側の給排気口を接続するものである。
【００２０】
なお、上記給排気トップＢは内部側の排気筒２４と外部側の給気筒２５とよりなる二重円筒構造となっており、防雨板６より露出している排気筒２４の先端排気口より排気ガスは外部に放出され、また、給気は防雨板６より露出している給気筒２５の先端給気口から吸入される構造となっている。
【００２１】
以上この発明の実施の形態の一例について説明したが、この発明はこうした実施の形態のものに何等限定されず、この発明の要旨を逸脱しない範囲において種々なる形態で実施しうることは勿論である。
【００２２】
【発明の効果】
この発明は以上説明したような形態で実施され、以下に記載されるような効果を奏する。
【００２３】
この発明の給湯器設置用アダプターによれば、給湯器の買い替え交換などによって給湯器の給排気トップが大口径のものから小口径のものになった場合に、既設の壁開口と金枠及びボルトをそのまま利用して小口径の給排気トップをもつ給湯器の取付け設置にあたり、防雨板の落下防止を図るとともに、金枠に対する屋内側の固定板と給湯器取付板の位置決め固定が安定的に行いうるようにしたから、防雨板の落下による危険性と作業能率の低下は解消され、作業性の向上と相まって設置施工が迅速、確実に、しかも、簡易に行いうる給湯器設置用アダプターが安価に提供できるものである。
【図面の簡単な説明】
【図１】この発明の給湯器設置用アダプターの一例を示した全体の分解斜視図である。
【図２】取付けた状態の要部の一部拡大断面図である。
【図３】落下防止用索状体の固定板側の連結状態の一例を示した要部の一部拡大断面図である。
【図４】防雨板と固定板及び連結用索状体との関係を示した斜視図である。
【図５】固定板と金枠と防雨板及び連結用索状体との関係を示した図である。
【図６】従来例２の分解斜視図である。
【図７】その取付け施工状態の側面図である。
【符号の説明】
Ａ…強制給排気型給湯器
Ｂ…給排気トップ
１…壁開口
３…金枠
４…ボルト
５…給湯器取付板
６…防雨板
１２…索状体
１４…固定板
【図１】
0004231201.tif 000002
【図２】
0004231201.tif 000003
【図３】
0004231201.tif 000004
【図４】
0004231201.tif 000005
【図５】
0004231201.tif 000006
【図６】
0004231201.tif 000007
【図７】
0004231201.tif 000008